(57)【特許請求の範囲】
【請求項１】
練習者がボールを到達させようとする目標距離に対応する中間到達位置であって、上記練習者がボールを打ってから練習者のパッティングの周期のｋ倍（ｋは自然数）に等しい時間が経過したときにボールが通過するべき中間到達位置で、ボールの通過を検知する通過センサと、
上記通過センサが検知したボールの通過を練習者に報知する第１報知手段と、
一定パターンのリズムを刻むことで、練習者のパッティングの周期を上記練習者に報知する第２報知手段とを備えていることを特徴とするゴルフのパッティング練習装置。
【請求項２】
上記第２報知手段は、
練習者に携帯可能なものであるとともに、
上記第１報知手段から送信されるボールの通過に関する信号および自身が刻む一定パターンのリズムを、音声情報として練習者に報知することを特徴とする請求項１に記載のパッティング練習装置。
【請求項３】
練習者がボールを打ってからボールが上記通過センサを通過するまでに要したセンサ通過時間を測定するセンサ通過時間測定手段と、
上記センサ通過時間測定手段によって測定された上記センサ通過時間と、上記練習者のパッティングの周期のｋ倍（ｋは自然数）に等しい時間との差を練習者に報知する第３報知手段とを備えていることを特徴とする請求項１に記載のパッティング練習装置。
【請求項４】
練習者が打ったボールの通過を検知する通過センサと、
上記通過センサが検知したボールの通過を練習者に報知する第１報知手段と、
練習者がボールを到達させようとする目標距離に対応する、ボールが上記通過センサを通過するべき理想の通過時間を練習者に報知する第４報知手段とを備えていることを特徴とするゴルフのパッティング練習装置。
【発明の詳細な説明】
【技術分野】
【０００１】
本発明はゴルフの練習装置に関するものである。
【背景技術】
【０００２】
ゴルフのパッティングにおいて、目標となるホールや旗までの距離に対して、どのくらいの強さでボールを打てばよいのかを知ること、すなわち距離感覚を養うことはパッティング技術の向上に不可欠である。
【０００３】
従来のパッティングの距離感覚を養うための練習装置は、ボールの初速等からボールが実際に転がる距離を計算し、モニター画面等に表示する等の方法で距離感覚を養うものであった（特許文献１〜４参照）。
【特許文献１】特開平７−１１６２９４（1995年5月9日公開）
【特許文献２】特開平７−３２８１７２（1995年12月19日公開）
【特許文献３】特開２００５−１１１１９５（2005年4月28日公開）
【特許文献４】実開平６−８１５６７（1994年11月22日公開）
【発明の開示】
【発明が解決しようとする課題】
【０００４】
一般に、パッティングを行う人は、目標となるホールや旗に狙いをつけるため、目標が遠くなるほど狙いが定まり難く、距離感覚を把握することは困難となる。
【０００５】
また、上記特許文献１の練習装置を用いて練習を行った人でも、本番のラウンド中では、目標となるホールや旗に狙いをつけてパッティングを行う。そして、その人は練習時にどれくらいの強さで打てば何メートルの距離が表示された、という力加減を思い出し、距離感を把握するための参考にする。
【０００６】
ここで、上記特許文献１の練習装置を用いた練習には２つの問題点がある。
【０００７】
１つは、上記練習装置で練習を行った人でも、目標となるホールや旗に狙いをつけてパッティングを行うので、目標が遠くなるほど狙いが定まり難いという難点が解消されていない点である。
【０００８】
もう1つは、モニター画面に表示される距離に応じてパッティングの強さを調節するという上記練習方法では、安定したパッティングを行う技術は身に付き難いという点である。
【０００９】
パッティングの動作は振り子運動である。すなわち、パッティングを行う人の体型やパターの長さによって振り子運動の周期が決まり、各人に適した周期でパッティングを行うことによってパッティングは安定する。
【００１０】
すなわち、上記特許文献１の練習装置では、各人に適したパッティングの周期を身に付けることができないのでパッティングが安定しない。
【００１１】
本発明は、上記の問題点に鑑みてなされたものであり、その目的は、各人に適したパッティングの周期に合わせて練習することができ、また本来の目標よりも近い地点に狙いを付けるための目標を設定することで、本来の目標までの距離感覚をより容易に把握することができるパッティング練習装置を提供することにある。
【課題を解決するための手段】
【００１２】
本発明のパッティング練習装置は、上記課題を解決するために、練習者がボールを到達させようとする目標距離に対応する中間到達位置であって、上記練習者がボールを打ってから練習者のパッティングの周期のｋ倍（ｋは自然数）に等しい時間が経過したときにボールが通過するべき中間到達位置でボールの通過を検知する通過センサと、上記通過センサが検知したボールの通過を練習者に報知する第１報知手段と、一定パターンのリズムを刻むことで、練習者のパッティングの周期を上記練習者に報知する第２報知手段とを備えていることを特徴としている。
【００１３】
なお、第１報知手段は光や音などを用いて練習者にボールの通過を報知し、第２報知手段は光や音などを用いて練習者にパッティングの周期を報知する。
【００１４】
ここで、パッティングの周期とは、パッティングを行う人の体型、使用するパターの長さなどによって決まる、パターを振るときの周期である。
【００１５】
このパッティングの周期が、目標距離に関わらず常に一定となるように練習を行う。なお、目標距離が遠いときには、パターの振り幅を広くする。この場合、周期は一定で振り幅が広くなるのでパターのヘッドスピードは速くなり、その結果、ボールが到達する地点までの距離は長くなる。逆に、目標距離が近いときには、振り幅を狭くする。この場合、周期は一定で振り幅が狭くなるのでパターのヘッドスピードは遅くなり、その結果、ボールが到達する地点までの距離は短くなる。以上の原理によって一定の周期でパッティングを行いながら、距離を調節することができる。
【００１６】
また、上述のようにパッティングの周期は、パッティングを行う人の体型や使用するパターなどによって決まるので、個人差がある。したがって、各人に適したパッティングの周期は、様々な振り幅でパターを振ってみて、振りやすいと感じる周期を見つければよい。
【００１７】
また、上記自然数ｋは、１、２、３…など任意のものが可能であるが、ｋの値が大きくなるに従って、練習者から通過センサまでの距離が遠くなり、狙いを付け難くなるので、ｋの値としては１が好ましい。
【００１８】
上記構成によると、練習者は、第２報知手段によって自分のパッティングの周期を認識することができ、このパッティングの周期に合わせてパッティングを行う。
【００１９】
ここで、上記通過センサは、練習者のパッティングの周期のｋ倍（ｋは自然数）に等しい時間が経過したときにボールが通過するべき中間到達位置に設置されている。
【００２０】
すなわち、練習者は、自分のパッティングの周期のｋ倍（ｋは自然数）に等しい時間が経過したときに上記通過センサを通過するようにパッティングを行うことができれば、練習者が打ったボールは、上記目標距離に到達することになる。
【００２１】
したがって、練習者は、第２報知手段によって報知されるリズムに合わせてボールを打ち、ボールを打った後ｋ回目のリズムが報知されると同時に、ボールが上記通過センサを通過することを目標に練習を行う。そして、ボールが通過センサを通過した瞬間は、第１報知手段によって練習者に報知される。
【００２２】
なお、この際に練習者が狙いを付ける位置は、上記目標距離ではなく、通過センサである。
【００２３】
つまり、上記パッティング練習装置を使用する練習者は、目標距離よりも練習者に近い距離に位置する通過センサに狙いを付けてパッティングを行うことによって、目標距離にボールを到達させる距離感覚を養うことができる。狙いを付ける位置が近くなるので、目標距離に狙いを付けてパッティングを行う場合と比べ、目標距離までの距離感覚を把握することが容易になる。そして、上記パッティング練習装置を使用する練習者は、自分のパッティングの周期に合わせて練習を行うので、自分に合ったパッティングの周期を身に付けることができ、このことは、パッティングの安定につながる。
【００２４】
さらに、練習者が、本番のラウンド中にパッティングを行うときには、パッティングライン上に通過センサがあることをイメージし、イメージ上の通過センサに狙いを付けてパッティングを行う。すなわち、練習の積み重ねで養われた距離感覚を、そのまま本番のラウンド中でも活かすことができる。
【００２５】
また、上記パッティング装置において、上記第２報知手段は、練習者に携帯可能なものであるとともに、上記第１報知手段から送信されるボールの通過に関する信号および自身が刻む一定パターンのリズムを、音声情報として練習者に報知することが好ましい。
【００２６】
第２報知手段を携帯型とすることで、小型化が可能となる。また、第１および第２報知手段が発する音声情報は、イヤホン等で聞くことによって、周囲に漏れることがなくなる。したがって、本発明のパッティング練習装置をゴルフの練習場などで使用する場合には第１および第２報知手段が発する報知音によって近隣の練習者の練習を妨げることがなく、また、家庭で使用する場合においても静かに練習を行うことができる。
【００２７】
また、上記パッティング練習装置は、練習者がボールを打ってからボールが上記通過センサを通過するまでに要したセンサ通過時間を測定するセンサ通過時間測定手段と、
上記センサ通過時間測定手段によって測定された上記センサ通過時間と、上記練習者のパッティングの周期のｋ倍（ｋは自然数）に等しい時間との差を練習者に報知する第３報知手段とを備えていることが好ましい。
【００２８】
上記構成によると、練習者は、リズム音と同時にボールを打つ必要はなく、自分の好きなタイミングでボールを打ち、練習を行うことができる。この場合、センサ通過時間と上記練習者のパッティングの周期のｋ倍（ｋは自然数）に等しい時間との差は、第３報知手段により報知されるため、練習者は自分が行ったパッティングの強弱を適切に把握し、調節することができる。よって、練習者は効果的な練習を行うことができる。
【００２９】
また、本発明のパッティング練習装置は、練習者が打ったボールの通過を検知する通過センサと、上記通過センサが検知したボールの通過を練習者に報知する第１報知手段と、
練習者がボールを到達させようとする目標距離に対応する、ボールが上記通過センサを通過するべき理想の通過時間を練習者に報知する第４報知手段とを備えていることを特徴としている。
【００３０】
上記構成によれば、練習者は第４知手段によって理想の通過時間を知ることができ、また、第１報知手段によって実際の通過時間を知ることができる。上記理想の通過時間と実際に通過センサを通過した時間とが一致するようにボールを打つことができれば、ボールを目標距離に到達させることができる。
【００３１】
したがって、練習者は、パッティングライン上の任意の位置に設置した通過センサに狙いを付けて距離感覚を養う練習を行うことができる。
【発明の効果】
【００３２】
本発明のパッティング練習装置は、以上のように、練習者がボールを到達させようとする目標距離に対応する中間到達位置であって、上記練習者がボールを打ってから練習者のパッティングの周期のｋ倍（ｋは自然数）に等しい時間が経過したときにボールが通過するべき中間到達位置でボールの通過を検知する通過センサと、上記通過センサが検知したボールの通過を練習者に報知する第１報知手段と、一定パターンのリズムを刻むことで、練習者のパッティングの周期を上記練習者に報知する第２報知手段とを備えていることを特徴としている。
【００３３】
上記構成によると、練習者は、自分に合ったパッティングの周期に合わせてパッティングを行うことができ、また、目標距離よりも練習者に近い位置にある通過センサに狙いをつけながら、目標距離までの距離感覚を養うことができる。
【００３４】
すなわち、上記練習装置は、自分に合ったパッティングの周期が身に付くとともに、距離感覚をより容易に養うことができるという効果を奏する。
【００３５】
また、本発明のパッティング練習装置は、以上のように、練習者が打ったボールの通過を検知する通過センサと、上記通過センサが検知したボールの通過を練習者に報知する第１報知手段と、練習者がボールを到達させようとする目標距離に対応する、ボールが上記通過センサを通過するべき理想の通過時間を練習者に報知する第４報知手段とを備えていることを特徴としている。
【００３６】
上記構成によると、練習者は第４報知手段によって理想の通過時間を知ることができ、第１報知手段によって実際の通過時間を知ることができる。理想の通過時間と実際の通過時間とが一致するようにボールを打つことができれば、ボールを目標距離に到達させることができる。
【００３７】
したがって、本発明のパッティング練習装置を使用する練習者は、目標距離よりも練習者に近い位置にある通過センサに狙いを付けてパッティングを行うので、目標距離に狙いを付けてパッティングを行う場合と比べ、より容易に目標距離までの距離感覚を把握することができる。また、通過センサを設置する位置はパッティングライン上の任意の位置でよい。
【発明を実施するための最良の形態】
【００３８】
〔実施の形態１〕
図１に示すように、本発明の一実施形態のパッティング練習装置は、陸橋型部材２と、リズム発生装置（第２報知手段）３とを備えている。
【００３９】
陸橋型部材２は、通過センサ（通過センサ）５と、通過信号送信部６と、発光体（第１報知手段）７とを備えている。
【００４０】
また、リズム発生装置３は、リズム周期入力部８とイヤホン９とを備え、図示しない通過信号受信部とリズム音生成部とを備えている。
【００４１】
また、陸橋型部材２は、練習者がボール１を打ってから練習者のパッティングの周期に等しい時間が経過したときにボール１が通過するべき位置、すなわち中間到達位置に設置されている。
【００４２】
なお、本実施の形態では、上記中間到達位置は、練習者のパッティングの周期に等しい時間が経過したときにボール１が通過するべき位置（請求項１におけるｋ＝１の場合）としているが、練習者のパッティングの周期の２倍、３倍など任意の整数倍の時間が経過したときにボール１が通過するべき位置を中間到達位置とすることもできる。
【００４３】
また、上記中間到達位置は、練習者のパッティングの周期、目標距離、およびボール１とボール１が転がる面との摩擦係数によって決まる。
【００４４】
したがって、練習者は、練習を行うグリーン等においてパッティングを行い、目標とする距離に適したパッティングが行えた場合の、練習者のパッティングの周期に等しい時間後のボール１の通過地点を中間到達位置と定める。
【００４５】
例えば、パッティングの周期が１．０秒、目標距離が２０ｍであり、あるグリーンにおいて、中間到達位置が５．８ｍとなった場合、練習者は、陸橋型部材２を５．８ｍ前方に設置して練習を行うことになる。以下では、この条件で練習を行う場合を説明する。
【００４６】
陸橋型部材２は、その下をボール１が通過すると、通過センサ５がボール１の通過を検知するように構成されている。そして、ボール１の通過が検知されると、発光体７が点灯すると同時に、通過信号送信部６がボール１の通過に関する信号をリズム発生装置３に送信するという構成である。
【００４７】
リズム発生装置３は、練習者がリズム周期入力部８にパッティングの周期を入力すると、入力した周期に従ってリズム音生成部（図示せず）に指示を送り、一定パターンのリズム音を発生させるものである。また、リズム発生装置３の通過信号受信部（図示せず）は、通過信号送信部６が送信するボール１の通過に関する信号を受信するものである。通過信号受信部は、ボール１の通過に関する信号を受信すると、リズム音生成部に指示を送り、ボール１の通過を示すボール通過音を発生させる。そして、リズム音生成部が生成するリズム音およびボール通過音は、イヤホン９を介して練習者に報知される。
【００４８】
なお、上記一定パターンのリズム音は、練習者が、自分のパッティングの周期を認識できるようなものであればよい。リズム音のパターンとしては、例えば、練習者のパッティングの周期に等しい時間間隔を刻むものでもよいし、練習者のパッティングの周期の１／２倍、１／３倍、１／４倍などの一定時間間隔を刻むものでもよい。また、リズム音のパターンは、上記一定時間間隔のリズムを組み合わせたパターンによって練習者のパッティングの１周期が構成され、上記組み合わせたパターンが繰り返されることによって練習者のパッティングの周期を報知するものであってもよい。具体的には、練習者のパッティングの周期を１．０秒とすると、１／４周期、すなわち１／４秒間隔のリズムを２回と、１／２周期、すなわち１／２秒間隔のリズムを１回組み合わせたリズムなどが挙げられる。
【００４９】
本実施の形態では、練習者のパッティング周期に等しい時間間隔のリズム音を発生させる場合を説明する。
【００５０】
以上の構成により、本実施例のパッティング練習装置を用いる練習者は、リズム発生装置３からリズム音が発生すると同時に、図１の矢印Ａの方向に向かってボール１を打ち、練習者のパッティングの周期に等しい時間が経過した後、すなわちボール１を打った後１回目のリズム音が発生すると同時にボール１が陸橋型部材２の下を通過するように練習を行う。
【００５１】
練習者は、イヤホン９から聞こえるリズム音によって、自分のパッティングの周期およびボール１が陸橋型部材２の下を通過するべきタイミングを知ることができ、また、実際にボール１が陸橋型部材２を通過する瞬間は、発光体７の発光、またはリズム音発生装置３が報知するボール通過音によって認識することができる。
【００５２】
したがって、練習者は、自分のパッティング周期に合わせてパッティングを行うことによって、自分に合ったパッティング周期を身に付けることができる。また、目標距離よりも練習者に近く、それゆえ目標距離よりも狙いを付けやすい陸橋型部材２に狙いを付けて目標距離までの距離感覚を養うことができる。
【００５３】
〔実施の形態１のパッティング練習装置の機能説明〕
上記パッティング練習装置では、１０ｍ、１５ｍ、２０ｍなど、様々な距離の距離感覚を身に付ける練習を行うことができるが、ここでは、２０ｍのパッティングを練習する場合を説明する。また、練習者に合ったパッティングの周期は、上述のように個人差があるが、ここでは、練習者に合ったパッティングの周期が１．０秒である場合を想定している。
【００５４】
上述のように、本実施形態では、目標距離が２０ｍで、パッティングの周期が１．０秒の場合に、中間到達位置が５．８ｍとなるグリーンで練習を行うことを想定している。したがって、練習者は、パッティングライン上で練習者から５．８ｍの位置に陸橋型部材２を設置する。
【００５５】
次に、練習者は、リズム周期入力部８に、練習者に合ったパッティングの周期である１．０秒を入力する。リズム音生成部は、リズム周期入力部８に１．０秒と入力されたことを受けて１．０秒間隔のリズム音を発生させる。そして、このリズム音はイヤホン９を介して練習者に報知される。
【００５６】
練習者は、イヤホン９から聞こえるリズム音の発生に合わせてボール１を打つ。ボール１を打つときに練習者が狙いを付ける位置は陸橋型部材２である。練習者は、ボール１を打つ時に鳴ったリズム音の次のリズム音が鳴ると同時に陸橋型部材２の下をボール１が通過するようにボール１を打つ。ボール１が陸橋型部材２の下を通過すると通過センサ５がボール１の通過を検知する。
【００５７】
通過センサ５はボール１の通過を検知すると発光体７を点灯させる。発光体７の点灯によって練習者はボール１が通過した瞬間を認識することができる。
【００５８】
また、通過センサ５はボール１の通過を検知すると、通過信号送信部６に指示を送り、ボール１の通過に関する信号をリズム発生装置３に送信させる。リズム発生装置３の通過信号受信部は、ボール1の通過に関する信号を受信すると、リズム音生成部に指示を送り、ボール通過音を発生させる。そして、練習者は、イヤホン９を介してボール通過音を聞くことができる。
【００５９】
つまり、練習者は、発光体７の点灯による視覚情報によってボール１が通過した瞬間を認識することができるとともに、イヤホン９から聞こえる音声情報によってもボール１が陸橋型部材２の下を通過した瞬間を認識することができる。
【００６０】
したがって、練習者は、リズム音に合わせてボール１を打ち、次のリズム音が聞こえると同時に、発光体７が点灯すること、またはイヤホン９からボール通過音が聞こえることを目標に練習を行うことになる。
【００６１】
また、目標距離を変えて練習を行いたい場合には中間到達位置を変えればよく、目標距離に応じた位置に陸橋型部材２を設置することによって様々な距離の距離感覚を養うことができる。例えば、目標距離を１５ｍとした場合、中間到達位置は約５．０ｍであり、目標距離が１０ｍの場合は、中間到達位置は、約４．０ｍである。なお、これらの中間到達位置は、あくまで例であり、中間到達位置は、パッティングを行うグリーン等の状態によって変化する。
【００６２】
したがって、練習者は、目標距離に応じた練習者から陸橋型部材２までの距離を覚え、かつ自分のパッティングの周期を身に付けることによって、目標距離までの距離感覚を養うことができる。
【００６３】
また、上記パッティング練習装置を用いると、リズムに合わせ、連続してパッティングを行う反復練習が可能となる。練習者は、反復練習を行うことによって、自分に合ったパッティングの周期を身に付けながら、目標距離までの距離感覚を身に付けることができる。
【００６４】
上記パッティング練習装置において、練習者が狙いを付ける位置は、目標距離ではなく陸橋型部材２である。従って、練習者は、目標距離よりも練習者に近い位置に狙いを付けてパッティングを行うので、目標距離に狙いを付けてパッティングを行う場合と比べ、より容易に目標距離までの距離感覚を把握することができる。
【００６５】
また、練習者が、本番のラウンド中にパッティングを行うときには、パッティングライン上の目標距離に応じた位置に陸橋型部材２があることをイメージし、イメージ上の陸橋型部材２に狙いを付けてパッティングを行う。すなわち、パッティングライン上の中間到達位置に陸橋型部材２があることをイメージし、上記の練習で身に付いた自分のパッティングの周期でボールを打ち、ボールを打ってから１．０秒後にイメージ上の陸橋型部材２を通過することを目標にパッティングを行う。すなわち、練習の積み重ねで養われた距離感覚をそのまま本番のラウンド中でも活かすことができる。
【００６６】
〔変更態様の説明〕
上記のような、リズム発生装置３を用いた練習では、リズムに合わせてボール１を打つことが必要である。しかし、練習者が、リズムに合わせてボール１を打つことが難しいと感じる場合も考えられる。
【００６７】
このような場合には、上記構成に加えてボール始動センサ１２と、時間差表示器（センサ通過時間測定手段）１３とを併用することが好ましい。
【００６８】
なお、時間差表示器１３は、練習者のパッティングの周期を入力するパッティング周期入力部１４と、ボール１が通過センサを５通過した時間と上記練習者のパッティングの周期に等しい時間との差を表示する時間差表示部（第３報知手段）１５とを備えている。
【００６９】
ボール始動センサ１２は、練習者がボール１を打つときに、ボール１が動き始める瞬間を検知するものである。ボール始動センサ１２は、ボール１の始動を検知すると、ボール１の始動に関する信号を時間差表示器１３に送信する。
【００７０】
時間差表示器１３は、ボール始動センサ１２が送信するボール１の始動に関する信号と、陸橋型部材２が送信するボール１の通過に関する信号とを受信し、練習者がボール１を打った後、ボール１が陸橋型部材２の下を通過するまでに要した時間、すなわちセンサ通過時間を測定するものである。また、時間差表示器１３は、練習者のパッティングの周期と、センサ通過時間との差を計算し、該計算結果を表示するものである。
【００７１】
すなわち、練習者が、パッティング周期入力部１４に、自分のパッティングの周期をあらかじめ入力しておくと、時間差表示器１３は、上記センサ通過時間と、上記練習者のパッティングの周期に等しい時間との差を計算し、該計算結果を時間差表示部１５に表示する。
【００７２】
例えば、パッティングの周期に等しい時間よりもセンサ通過時間が０．５秒大きい場合、時間差表示部１５には「＋０．５秒」と表示される。練習者は、この表示を見て強く打ちすぎたことを認識することができる。
【００７３】
なお、上記では、センサ通過時間と、パッティング周期に等しい時間との差を表示する構成を示したが、センサ通過時間を表示する構成とすることもできる。練習者は、センサ通過時間と、自分のパッティング周期の大小関係によって、パッティングの強弱を把握することができるので、上記と略同様の効果を得ることができる。例えば、自分のパッティング周期が１．０秒である場合、センサ通過時間が１．０秒であれば目標距離に適したパッティングができていることがわかる。一方、センサ通過時間が１．２秒と表示されたときには、中間到達位置を通る時間が遅かったことがわかり、これは弱く打ちすぎたことを意味している。
【００７４】
センサ通過時間を表示する構成とした場合、練習者は、時間測定器１３にパッティングの周期を入力する必要がない。そして、時間差表示器１３は、センサ通過時間とパッティング周期に等しい時間との差を計算する必要がないので、時間差表示器１３を簡略化することができる。
【００７５】
上記の機能を用いれば、練習者は、リズムに合わせてボール１を打つ必要はなく、自分の好きなタイミングでボール１を打つことができる。練習者は、時間差表示部１５に表示されるセンサ通過時間と、上記練習者のパッティングの周期に等しい時間との差の、正負、大小を知ることができる。従って、次にボール１を打つときには、パッティングの強弱を調整することができる。
【００７６】
また、上記の練習で距離感覚に慣れた後、上述したリズム音に合わせた反復練習に移行し、身に付けた距離感覚を定着させることもできる。
【００７７】
〔実施の形態２〕
上記実施の形態１では、陸橋型部材２を通過するまでのセンサ通過時間を一定にし、陸橋型部材２を設置する中間到達位置を調節することによって様々な目標距離の距離感覚を練習する装置を示した。
【００７８】
一方、以下に示す態様によっても、効果的に距離感覚を把握することができるパッティング練習装置を実現することができる。
【００７９】
実施の形態２のパッティング練習装置は、実施の形態１の構成に加えて、条件入力パネル４を備えている。
【００８０】
条件入力パネル４は、理想の通過時間を算出する計算部を内蔵し、計算部によって算出された理想の通過時間を表示する理想時間表示部（第４報知手段）１１とを備えている。
【００８１】
条件入力パネル４は、練習者が練習したい目標距離と、練習者から陸橋型部材２までの距離との入力を受け付け、理想の通過時間を出力するものである。
【００８２】
条件入力部１０は、目標距離と、練習者から陸橋型部材２までの距離との入力を受け付け、入力された条件を計算部に送る。計算部は、入力された条件から以下に示す方法で理想の通過時間を算出し、算出された結果を理想時間表示部１１に送り、理想の通過時間を表示させる。
【００８３】
ここで、理想の通過時間とは、上記目標距離に対応する、練習者が打ったボール１が陸橋型部材２を通過するべき時間を指す。
【００８４】
目標距離と、練習者から陸橋型部材２までの距離とが決まれば上記理想の通過時間は決まる。すなわち、練習者が条件入力部１０に目標距離と陸橋型部材２までの距離を入力することによって、理想の通過時間が算出されることになる。
【００８５】
なお、理想の通過時間は、目標距離と、練習者と陸橋型部材２との間の距離とに基づき成立する運動方程式を計算部が解くことによって算出される。また、理想の通過時間は、次のように算出することもできる。
【００８６】
すなわち、条件入力パネル４内に記憶部を設け、練習者と陸橋型部材２との間における距離と、目標距離と、理想の通過時間とを、予め対応づけて算出しておき、当該３つの値が対応付けられたテーブルを該記憶部に格納しておいてもよい。図２に上記テーブルの一例を示す。練習者が、練習者と陸橋型部材２との間の距離と目標距離とを条件入力部１０に入力すると、計算部は、図２に示されるテーブルを用いて理想の通過時間を決定する。
【００８７】
〔実施の形態２のパッティング練習装置の機能説明〕
まず、練習者は、陸橋型部材２を自分のパッティングライン上の任意の位置に設置する。そして、目標距離と、練習者から陸橋型部材２までの距離とを条件入力パネル４の条件入力部１０に入力する。
【００８８】
目標距離と、練習者から陸橋型部材２までの距離から算出された理想の通過時間が理想時間表示部１１に表示されるので、練習者は、表示されている理想の通過時間をリズム発生装置３のリズム周期入力部８に入力する。
【００８９】
理想の通過時間を１周期とするリズム音が報知されることになるので、練習者はリズム音の発生と同時にボール１を打ち、次のリズム音の発生と同時に陸橋型部材２の下を通過することを目標に練習を行う。なお、ボール１が陸橋型部材２を通過した瞬間は、実施の形態１と同様に、発光体７の点灯と、イヤホン９から聞こえるボール通過音によって練習者に報知される。
【００９０】
上記実施の形態１と同様に、練習者が狙いを付ける位置は目標距離ではなく、陸橋型部材２である。すなわち、実施の形態２のパッティング練習装置においても、目標距離よりも近い位置に狙いを付けて、目標距離までの距離感覚を養うことができる。また、陸橋型部材２を設置する位置は、パッティングライン上の任意の位置でよく、練習者が狙いを付けやすい所望の位置に設置することができる。
【００９１】
最後に、上記実施の形態１および２において、リズム発生装置３、条件入力パネル４、時間差表示器１３はそれぞれ別個の部材となっているが、例えば、リズム発生装置３と条件入力パネル４とを一体に構成したり、時間差表示器１３を陸橋型部材２上に設けたりすることもできる。
【００９２】
また、ボール１の通過および始動に関わる信号の送受信は、上記実施の形態１および２のように、通過信号送信部６とリズム発生装置３との間を無線通信接続して行ってもよいし、各構成要素を任意のケーブルで接続し、有線通信で行ってもよい。
【００９３】
本発明は上述した各実施形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【００９４】
本実施形態のパッティング練習装置は、ゴルフ練習場に設置してパッティング技術向上を目指す人々に新たな練習方法を提供することができる。また、持ち運びが可能であるため、一般家庭、オフィス、公園など様々な場所で使用することができる。
【図面の簡単な説明】
【００９５】
【図１】本発明の実施形態を示すものであり、本発明のパッティング練習装置の概略図である。
【図２】本発明の実施形態を示すものであり、上記理想の通過時間を求めるためのテーブルの一例を示すものである。
【符号の説明】
【００９６】
１    ボール
２    陸橋型部材
３    リズム発生装置（第２報知手段）
４    条件入力パネル
５    通過センサ（通過センサ）
６    通過信号送信部
７    発光体（第１報知手段）
８    リズム周期入力部
９    イヤホン
１０    条件入力部
１１    理想時間表示部（第４報知手段）
１２    ボール始動センサ
１３    時間差表示器（センサ通過時間測定手段）
１４    理想時間入力部
１５    時間差表示部（第３報知手段）
【図１】
0004779176.tif 000002
【図２】
0004779176.tif 000003